【手続補正書】
【提出日】平成18年3月10日(2006.3.10)
【手続補正１】
【補正対象書類名】特許請求の範囲
【補正対象項目名】全文
【補正方法】変更
【補正の内容】
【特許請求の範囲】
【請求項１】
複数個のティースを回転軸に対して放射状に配置してなり、
前記ティースの先端部におけるティースヘッドの回転子永久磁石と対向する側の面形状を前記永久磁石側に凸とすると共に、
前記ティースヘッドと回転子永久磁石との空隙長は、周方向の中央に対する両端の比率が１．４〜２．４の範囲となるように設定されていることを特徴とする永久磁石形モータの固定子鉄心。
【請求項２】
ティースヘッドの回転子永久磁石と対向する側の面形状を前記永久磁石側に凸とする円弧状にすると共に、
空隙長は、周方向の中央に対する両端の比率が１．６〜２．２の範囲に設定されていることを特徴とする請求項１記載の永久磁石形モータの固定子鉄心。
【請求項３】
空隙長は、周方向の中央に対する両端の比率が１．８〜２．０の範囲に設定されていることを特徴とする請求項２記載の永久磁石形モータの固定子鉄心。
【請求項４】
複数個のティースを回転軸に対して放射状に配置してなり、
前記ティースの先端部におけるティースヘッドの回転子永久磁石と対向する側の面形状は、周方向の中央部が円弧状で且つ両端部が前記円弧の両端に夫々接する接線を成し、
前記ティースヘッドと回転子永久磁石との空隙長は、周方向の中央に対する両端の比率が１．６〜２．６の範囲となるように設定されていることを特徴とする永久磁石形モータの固定子鉄心。
【請求項５】
前記ティースの先端部における中央部を構成する円弧は、回転中心からティース中心線上で径方向にずれた位置を中心とすることを特徴とする請求項４記載の永久磁石形モータの固定子鉄心。
【請求項６】
空隙長は、周方向の中央に対する両端の比率が１．８〜２．４の範囲に設定されていることを特徴とする請求項４又は５記載の永久磁石形モータの固定子鉄心。
【請求項７】
空隙長は、周方向の中央に対する両端の比率が２．０〜２．２の範囲に設定されていることを特徴とする請求項６記載の永久磁石形モータの固定子鉄心。
【請求項８】
請求項１乃至７の何れかに記載の固定子鉄心を備えた永久磁石形モータ。
【手続補正２】
【補正対象書類名】明細書
【補正対象項目名】０００２
【補正方法】変更
【補正の内容】
【０００２】
永久磁石形モータの固定子鉄心について、回転時に発生する誘起電圧を低下させること無くコギングトルクの低減化を図ることを目的とした従来技術として、例えば特許文献１に開示されているものがある。
この技術は、外転型のモータにおいて、ティースヘッドの回転子永久磁石と対向する側の面の形状を、周方向の中央部については回転子の回転中心よりも外周方向にずれた位置を中心とする円弧状に形成し、その周方向中央部から周方向の両端部に向かうに従って滑らかに回転子永久磁石から遠ざかる形状としたものである。
【特許文献１】特願平９−３４４９４６号
【手続補正３】
【補正対象書類名】明細書
【補正対象項目名】０００６
【補正方法】変更
【補正の内容】
【０００６】
即ち、本発明の発明者等は、前記空隙長の比率を変化させた場合に、誘起電圧とコギングトルクとの発生状態をシミュレーションした。その結果、周方向の中央に対する両端の比率を１．４〜２．４の範囲に設定すると、両者のバランスが程良い状態になることを明らかにした。
また、請求項２に記載したように、ティースヘッドの回転子永久磁石と対向する側の面形状を前記永久磁石側に凸とする円弧状にすると共に、空隙長の比率を１．６〜２．２の範囲に設定し、更に、請求項３に記載したように、空隙長の比率を１．８〜２．０の範囲に設定すれば、誘起電圧とコギングトルクとの発生バランスがより最適となることが判った。
【手続補正４】
【補正対象書類名】明細書
【補正対象項目名】０００７
【補正方法】変更
【補正の内容】
【０００７】
請求項４記載の永久磁石形モータの固定子鉄心は、複数個のティースを回転軸に対して放射状に配置してなり、
前記ティースの先端部におけるティースヘッドの回転子永久磁石と対向する側の面形状は、周方向の中央部が円弧状で且つ両端部が前記円弧の両端に夫々接する接線を成すように形成すると共に、
前記ティースヘッドと回転子永久磁石との空隙長は、周方向の中央に対する両端の比率が１．６〜２．６の範囲となるように設定する。
また、請求項５記載の永久磁石形モータの固定子鉄心は、前記ティースの先端部における中央部を構成する円弧を、回転中心からティース中心線上で径方向にずれた位置を中心とする。
【手続補正５】
【補正対象書類名】明細書
【補正対象項目名】０００８
【補正方法】変更
【補正の内容】
【０００８】
即ち、ティースヘッドの面形状において、円弧状をなす中央部に連なる両端部を、前記円弧の両端に夫々接する接線を成すように形成すると、中央部から両端部にかけての空隙長の変化がより緩やかになるので、空隙長を調整するのにより有利となる。
そして、この場合も、請求項６に記載したように、空隙長の比率を１．８〜２．４の範囲に設定し、更に、請求項７に記載したように、前記空隙長の比率を２．０〜２．２の範囲に設定すれば、誘起電圧とコギングトルクとの発生バランスがより最適となる。
【手続補正６】
【補正対象書類名】明細書
【補正対象項目名】００１０
【補正方法】変更
【補正の内容】
【００１０】
請求項４記載の永久磁石形モータの固定子鉄心によれば、複数個のティースを回転軸に対して放射状に配置し、ティースヘッドの回転子永久磁石と対向する側の面形状を、周方向の中央部が円弧状で且つ両端部が円弧の両端に夫々接する接線を成すように形成し、ティースヘッドと回転子永久磁石との空隙長を、周方向の中央に対する両端の比率が１．６〜２．６の範囲となるように設定した。従って、請求項１と同様の効果が得られると共に、中央部から両端部にかけての空隙長の変化がより緩やかになり、空隙長の調整をより容易に行なうことができる。
【手続補正７】
【補正対象書類名】明細書
【補正対象項目名】００１３
【補正方法】変更
【補正の内容】
【００１３】
ここで、図１（ａ）又は図２に示すように、ティース５のティースヘッド５ａにおける回転子永久磁石１３と対向する側の面の形状は、中央部となる５ｂが、回転子１０の回転中心Ｏ１よりもティース中心線上で径方向にずれた位置を中心とする円弧状に形成されている。従って、ティースヘッド５ａの中央部５ｂと回転子永久磁石１３との間のエアギャップ長Ｇ１は、周方向において同じである。
【手続補正８】
【補正対象書類名】明細書
【補正対象項目名】００１８
【補正方法】変更
【補正の内容】
【００１８】
以上のように本実施例によれば、固定子鉄心２を構成するティースヘッド５ａの回転子永久磁石１３と対向する側の面形状を、周方向の中央部５ｂが円弧状で且つ両端部５ｃ，５ｄが前記円弧の両端に夫々接する接線を成すように形成し、ティースヘッド５ａと回転子永久磁石１３とのエアギャップ長を、周方向の中央Ｇ１に対する両端Ｇ２の比率が略「２」となるように設定した。従って、永久磁石モータ１の回転時に発生する誘起電圧を極力大きくすると共に、コギングトルク，トルクリップルを極力小さくするように両者をバランスさせることができ、モータの効率低下を極力防止した上で、振動や騒音の発生を抑制することが可能となる。
【手続補正９】
【補正対象書類名】明細書
【補正対象項目名】００２７
【補正方法】変更
【補正の内容】
【００２７】
【図１】本発明を外転形の永久磁石形モータに適用した場合の第１実施例であり、（ａ）はティースヘッドと回転子永久磁石との部分を拡大して示す図、（ｂ）は、エアギャップ長比Ｇ２／Ｇ１と、永久磁石モータの回転時に発生する誘起電圧とコギングトルクとの比を取って示す図
【図２】ティースヘッド部分を拡大して示す図
【図３】固定子鉄心の平面図
【図４】永久磁石形モータの縦断面図
【図５】本発明の第２実施例を示す図１相当図
【図６】本発明を内転形の永久磁石形モータに適用した場合の第３実施例を示す図３相当図
【手続補正１０】
【補正対象書類名】図面
【補正対象項目名】図３
【補正方法】変更
【補正の内容】
【図３】
2005033941.tif 000001
【手続補正１１】
【補正対象書類名】図面
【補正対象項目名】図６
【補正方法】変更
【補正の内容】
【図６】
2005033941.tif 000002